(57)【要約】【課題】無線で発光指示する場合の信頼性を高めること。【解決手段】カメラ３０は、発光装置２０Ａに対する発光命令を出す制御部３０６と、無線通信部１０へ発光命令の送信を指示する送信指示部３０６と、を備え、送信指示部３０６は、発光命令の送信に先立ち、発光装置２０Ａに対する発光予定情報の送信を無線通信部１０へ指示する。【選択図】図２
2018151665.tif 000002
【特許請求の範囲】
【請求項１】
発光装置に対する発光命令を出す制御部と、
無線通信部へ前記発光命令の送信を指示する送信指示部と、を備え、
前記送信指示部は、前記発光命令の送信に先立ち、前記発光装置に対する発光予定情報の送信を前記無線通信部へ指示する
ことを特徴とするカメラ。
【発明の詳細な説明】
【技術分野】
【０００１】
本発明は、カメラに関する。
【背景技術】
【０００２】
電子閃光装置に対し、無線通信を介して発光タイミングを制御する技術が知られている（特許文献１参照）。特許文献１によれば、マスター電子閃光装置がリモート電子閃光装置に対してモニタ発光のコマンドを有するパケットを送信し、該パケットを受けたリモート電子閃光装置がモニタ発光を行う。
【先行技術文献】
【特許文献】
【０００３】
【特許文献１】特開２００８−３２９０９号公報
【発明の概要】
【発明が解決しようとする課題】
【０００４】
従来技術では、マスター側から無線送信されたモニタ発光コマンドがリモート側へ届かない場合（リモート電子閃光装置側で受信できない）には、リモート電子閃光装置が発光しない。
【課題を解決するための手段】
【０００５】
本発明によるカメラは、発光装置に対する発光命令を出す制御部と、無線通信部へ発光命令の送信を指示する送信指示部と、を備え、送信指示部は、発光命令の送信に先立ち、発光装置に対する発光予定情報の送信を無線通信部へ指示することを特徴とする。
【発明の効果】
【０００６】
本発明によれば、無線で発光指示する場合の信頼性を高められる。
【図面の簡単な説明】
【０００７】
【図１】本発明の一実施の形態による撮影システムの構成を例示する図である。
【図２】カメラ、マスター無線アダプタ、リモート無線アダプタおよび電子閃光装置の構成を例示するブロック図である。
【図３】マスター無線アダプタがリモート無線アダプタとの間で行う無線通信を説明する図である。
【図４】多灯撮影においてＴＴＬ調光制御を行う場合のタイミングを説明する図である。
【発明を実施するための形態】
【０００８】
以下、図面を参照して本発明を実施するための形態について説明する。図１は、本発明の一実施の形態による撮影システムの構成を例示する図である。図１の撮影システムは、マスター無線アダプタ１０および電子閃光装置２０がそれぞれ装着されたカメラ３０と、リモート無線アダプタ１０Ａが装着された電子閃光装置２０Ａと、リモート無線アダプタ１０Ｂが装着された電子閃光装置２０Ｂと、リモート無線アダプタ１０Ｃが装着された電子閃光装置２０Ｃと、によって多灯フラッシュ撮影システムを構成する。
【０００９】
電子閃光装置２０、および電子閃光装置２０Ａ〜電子閃光装置２０Ｃは、それぞれがカメラ３０のアクセサリシューと嵌合するカメラ取り付け脚を有する。図１の例では、電子閃光装置２０のみがカメラ取り付け脚によって直接カメラ３０に装着され、電子閃光装置２０Ａ〜２０Ｃは、カメラ取り付け脚によってリモート無線アダプタ１０Ａ〜１０Ｃにそれぞれ装着される。なお、電子閃光装置の中にリモート無線アダプタを内蔵させてもよい。
【００１０】
マスター無線アダプタ１０は、カメラ３０の側面の接続端子（不図示）に装着される。リモート無線アダプタ１０Ａ〜１０Ｃは、それぞれ上記電子閃光装置２０Ａ〜２０Ｃのカメラ取り付け脚と嵌合するアクセサリシューを有する。リモート無線アダプタ１０Ａ〜１０Ｃのアクセサリシューに、電子閃光装置２０Ａ〜２０Ｃが装着される。
【００１１】
カメラ３０に直接装着された電子閃光装置２０は、アクセサリシューに備えられる不図示の端子を介してカメラ３０との間で有線通信する。カメラ３０の側面に装着されたマスター無線アダプタ１０は、不図示の接続端子を介してカメラ３０との間で有線通信する。
【００１２】
マスター無線アダプタ１０は、リモート無線アダプタ１０Ａ、リモート無線アダプタ１０Ｂ、およびリモート無線アダプタ１０Ｃとの間で無線通信を行う。
【００１３】
リモート無線アダプタ１０Ａと電子閃光装置２０Ａとは、リモート無線アダプタ１０Ａのアクセサリシューに備えられる不図示の端子を介して有線通信する。リモート無線アダプタ１０Ｂと電子閃光装置２０Ｂとは、リモート無線アダプタ１０Ｂのアクセサリシューに備えられる不図示の端子を介して有線通信する。リモート無線アダプタ１０Ｃと電子閃光装置２０Ｃとは、リモート無線アダプタ１０Ｃとアクセサリシューに備えられる不図示の端子を介して有線通信する。
【００１４】
なお、図１の構成は、１台のカメラ３０と４台の電子閃光装置２０、２０Ａ〜２０Ｃで構成する多灯フラッシュ撮影システムであって、電子閃光装置２０および２０ＡをグループＡとし、電子閃光装置２０ＢをグループＢとし、電子閃光装置２０ＣをグループＣとする場合を例示する。電子閃光装置の総数は４台でなくてもよく、３台でも８台でもよい。また、各グループを構成する電子閃光装置の数は適宜変更して構わない。さらにまた、カメラ３０のアクセサリシューに直接接続する電子閃光装置２０を使わずに、無線通信を行う電子閃光装置２０Ａ〜２０Ｃのみを用いて多灯フラッシュ撮影システムを構成してもよい。
【００１５】
図２は、カメラ３０、マスター無線アダプタ１０、電子閃光装置２０、リモート無線アダプタ１０Ａ、および電子閃光装置２０Ａの構成を例示するブロック図である。本実施形態では、マスター無線アダプタ１０およびリモート無線アダプタ１０Ａの回路構成を同一にしたため、両無線アダプタ間で共通するブロックに対して同一符号を付して説明する。
【００１６】
また、図２における図示を省略しているが、リモート無線アダプタ１０Ｂおよび電子閃光装置２０Ｂの構成と、リモート無線アダプタ１０Ｃおよび電子閃光装置２０Ｃの構成は、それぞれリモート無線アダプタ１０Ａおよび電子閃光装置２０Ａの構成と同様である。
【００１７】
＜電子閃光装置＞
図２において、電子閃光装置２０および２０Ａは、それぞれキセノン管などの発光管２０１と、発光制御回路２０２と、ＣＰＵ２０３とを含む。ＣＰＵ２０３は、接続されている外部機器のＣＰＵ（リモート無線アダプタ１０ＡのＣＰＵ１０５、またはカメラ３０のＣＰＵ３０６）との間で有線通信を行いながら、発光管２０１の発光を制御する。発光制御回路２０２は高電圧充電回路を含み、放電発光に必要なエネルギーを蓄積する。ＣＰＵ２０３は、発光制御回路２０２に蓄積されたエネルギーを放電させることにより、発光管２０１を放電発光させる。
【００１８】
＜無線アダプタ＞
マスター無線アダプタ１０およびリモート無線アダプタ１０Ａは、それぞれ、アンテナ１０１と、通信回路１０２と、受光センサ１０３と、検出回路１０４と、ＣＰＵ１０５とを含む。ＣＰＵ１０５は、接続されている外部機器のＣＰＵ（電子閃光装置２０ＡのＣＰＵ２０３、またはカメラ３０のＣＰＵ３０６）との間で有線通信を行う他、他の無線アダプタと間で行う無線通信の制御と、後述する閃光待ち受け制御とを行う。
【００１９】
閃光待ち受け制御は、無線による発光コマンドの通信を失敗した場合でも、他の電子閃光装置の発光光をトリガに電子閃光装置を発光し得るように、他の電子閃光装置からの光を待ち受ける処理をいう。ＣＰＵ１０５は、閃光待ち受け時に他の電子閃光装置からの光が受光センサ１０３で受光された場合は、有線通信で接続されている電子閃光装置のＣＰＵ２０３へ発光指示を送る。
【００２０】
受光センサ１０３は、外部（他の電子閃光装置）からの光を受光し、光電変換信号を検出回路１０４へ送出する。検出回路１０４は、ＣＰＵ１０５から指示された待ち受け時間内に受光センサ１０３から光電変換信号が入力された場合に、検出信号をＣＰＵ１０５へ送出する。通信回路１０２は、ＣＰＵ１０５からの指示に応じて、アンテナ１０１を介して他の無線アダプタと間で無線通信を行う。
【００２１】
＜カメラ＞
カメラ３０は、撮影レンズ３０１と、シャッタ３０２と、撮像素子３０３と、測光センサ３０４と、シャッタ駆動装置３０５と、ＣＰＵ３０６と、操作部材（レリーズスイッチ含む）３０７とを備える。
【００２２】
撮影レンズ３０１は、被写体像を撮像素子３０３の撮像面に結像させる。シャッタ３０２は、シャッタ駆動装置３０５によって開閉制御される。測光センサ３０４は、入射光の強さに応じた測光信号を出力する。ＣＰＵ３０６は、測光信号に基づいて所定の露出演算を行うことにより、撮像素子３０３の感度、シャッタ３０２の開時間、および不図示の絞りの絞り値を制御する。また、ＣＰＵ３０６は、上記測光センサ３０４からの出力信号に基づいて、電子閃光装置２０、２０Ａ〜２０Ｃに対する調光制御も行う。
【００２３】
操作部材３０７は、レリーズスイッチの操作信号など、各種操作に応じた信号をＣＰＵ３０６へ送出する。撮像素子３０３で取得された画像信号は、ＣＰＵ３０６によって所定の画像処理が施され、不図示の記録媒体に記録される。
【００２４】
＜多灯撮影＞
多灯フラッシュ撮影を行う場合、カメラ３０のＣＰＵ３０６は、撮影者によるレリーズスイッチ３０７の押下操作（撮影指示）を検出してレリーズシーケンス処理を開始させる。そして、有線通信を介してマスター無線アダプタ１０へ発光指示を送出する。なお、撮影指示に先立って、リモート無線アダプタ１０Ａ〜１０Ｃ（すなわち電子閃光装置２０Ａ〜２０Ｃ）のうち発光対象となるリモート無線アダプタ（電子閃光装置）が、あらかじめ操作部材３０７の操作によって指定されているものとする。
【００２５】
―カメラとマスター無線アダプタ間の有線通信―
カメラ３０（ＣＰＵ３０６）と、マスター無線アダプタ１０（ＣＰＵ１０５）との間の通信は、有線通信である。この有線通信は、カメラ３０が主導して必要に応じて適宜行う。
【００２６】
カメラ３０とマスター無線アダプタ１０との間の通信は、通常、カメラ３０がマスター無線アダプタ１０へコマンド（例えば、発光ゲインコマンド、発光コマンド等）およびデータを送信し、これを受信したマスター無線アダプタ１０がカメラ３０へ返信（ack）する。コマンドには、電子閃光装置２０Ａに対するもの、電子閃光装置２０Ｂに対するもの、電子閃光装置２０Ｃに対するものが含まれる。
【００２７】
―カメラと電子閃光装置間の有線通信―
また、カメラ３０（ＣＰＵ３０６）と、電子閃光装置２０（ＣＰＵ２０３）との間の通信も有線通信である。この有線通信も、カメラ３０が主導して必要に応じて適宜行う。
【００２８】
カメラ３０と電子閃光装置２０との間の通信は、通常、カメラ３０が電子閃光装置２０へコマンド（発光ゲインコマンド、発光コマンド等）およびデータを送信し、これを受信した電子閃光装置２０がカメラ３０へ返信（ack）する。コマンドには、電子閃光装置２０に対するものが含まれる。
【００２９】
−マスター無線アダプタとリモート無線アダプタ間の通信−
マスター無線アダプタ１０とリモート無線アダプタ１０Ａ、マスター無線アダプタ１０とリモート無線アダプタ１０Ｂ、およびマスター無線アダプタ１０とリモート無線アダプタ１０Ｃとの間の通信は、それぞれ無線通信である。図３は、マスター無線アダプタ１０がリモート無線アダプタ１０Ａ（リモート無線アダプタ１０Ｂ、またはリモート無線アダプタ１０Ｃ）との間で行う無線通信を説明する図である。
【００３０】
リモート無線アダプタ１台当たりの無線通信の発生頻度は、カメラ３０とマスター無線アダプタ１０との間の通信の発生頻度と同じである。すなわち、カメラ３０とマスター無線アダプタ１０との間の有線通信の後、遅滞なくマスター無線アダプタ１０と各リモート無線アダプタとの間で無線通信が行われる。
【００３１】
マスター無線アダプタ１０とリモート無線アダプタ１０Ａ（１０Ｂまたは１０Ｃ）との間の通信は、通常、マスター無線アダプタ１０がリモート無線アダプタ１０Ａ（１０Ｂまたは１０Ｃ）へ上記コマンドおよびデータを送信し、これを受信したリモート無線アダプタ１０Ａ（１０Ｂまたは１０Ｃ）がマスター無線アダプタ１０へ返信（ack）する。コマンドには、通信相手のリモート無線アダプタ１０Ａ（１０Ｂまたは１０Ｃ）に装着されている電子閃光装置２０Ａ（２０Ｂまたは２０Ｃ）に対するものが含まれる。
【００３２】
−リモート無線アダプタと電子閃光装置間の通信−
各リモート無線アダプタ１０Ａ（１０Ｂまたは１０Ｃ）と、電子閃光装置２０Ａ（２０Ｂまたは２０Ｃ）との間の通信は、有線通信である。この有線通信は、各リモート無線アダプタ１０Ａ（１０Ｂまたは１０Ｃ）がマスター無線アダプタ１０との無線通信の後、対応する電子閃光装置との間で直ちに行う。
【００３３】
リモート無線アダプタ１０Ａ（１０Ｂまたは１０Ｃ）と電子閃光装置２０Ａ（２０Ｂまたは２０Ｃ）との間の通信は、通常、リモート無線アダプタ１０Ａ（１０Ｂまたは１０Ｃ）が対応する電子閃光装置２０Ａ（２０Ｂまたは２０Ｃ）へ上記コマンドおよびデータを送信し、これを受信した電子閃光装置２０Ａ（２０Ｂまたは２０Ｃ）がリモート無線アダプタ１０Ａ（１０Ｂまたは１０Ｃ）へ返信（ack）する。コマンドには、リモート無線アダプタ１０Ａ（１０Ｂまたは１０Ｃ）に装着されている電子閃光装置２０Ａ（２０Ｂまたは２０Ｃ）に対するものが含まれる。
【００３４】
＜多灯撮影時の発光タイミング＞
各電子閃光装置２０および２０Ａ〜２０Ｃの発光タイミングについて、図４を参照して説明する。図４は、各電子閃光装置２０および２０Ａ〜２０Ｃから撮影補助光を発光させる多灯フラッシュ撮影において、ＴＴＬ(through the lens)調光制御を行う場合のタイミングを例示する図である。
【００３５】
発光の大まかなタイムスケジュールを説明する。時刻ｔ０において、レリーズスイッチ３０７の押下操作（撮影指示）が行われると、カメラ３０のＣＰＵ３０６がレリーズシーケンス処理を開始させる。
【００３６】
ＴＴＬ調光制御時のレリーズシーケンス処理では、ＣＰＵ３０６から指示を受けたシャッタ駆動装置３０５がシャッタ３０２を開駆動させてシャッタ３０２の先幕が開く前に、カメラ３０（ＣＰＵ３０６）が各電子閃光装置２０および２０Ａ〜２０Ｃに対して上記グループごとに順番にモニタ発光を行わせる（時刻ｔ３、ｔ５、ｔ７）。カメラ３０の測光センサ３０４は、モニタ発光時に被写体からの反射光を受光するように制御される（調光露光）。ＣＰＵ３０６は、測光センサ３０４から出力された測光信号に基づいて、電子閃光装置２０および２０Ａ〜２０Ｃの本発光時の発光量（以下、本発光量という）を演算する。
【００３７】
本発光量の演算例は、以下の通りである。電子閃光装置２０および２０Ａ〜２０Ｃをいずれも発光させない状態で測光センサ３０４から出力された測光信号と、グループＡ（電子閃光装置２０および電子閃光装置２０Ａ）にモニタ発光させた状態で測光センサ３０４から出力された測光信号との差分に基づいて、本発光に必要なグループＡの発光量を演算する。同様に、グループＢおよびグループＣについても、それぞれ電子閃光装置２０Ｂ（２０Ｃ）を発光させない状態で測光センサ３０４から出力された測光信号と、電子閃光装置２０Ｂ（２０Ｃ）にモニタ発光させた状態で測光センサ３０４から出力された測光信号との差分に基づいて、本発光に必要なグループＢ（グループＣ）の発光量を演算する。この際、１回目のモニタ発光の光量が適切でなかった場合には、モニタ発光量を変更して再度モニタ発光させ、発光量演算を行うとよい。
【００３８】
ＣＰＵ３０６は、シャッタ３０２が全開している時刻ｔ９において、電子閃光装置２０および２０Ａ〜２０Ｃに対して略同時に本発光させる（本露光）。
【００３９】
以下、詳細な各電子閃光装置２０および２０Ａ〜２０Ｃの発光タイミングを説明する。時刻ｔ０にレリーズシーケンス処理を開始させたカメラ３０（ＣＰＵ３０６）は、マスター無線アダプタ１０へコマンドを送り、無線通信を介して接続される電子閃光装置２０Ａ〜２０Ｃに対して発光準備のための無線通信を行わせる。発光準備の無線通信では、あらかじめ発光の大まかなタイムスケジュールを通知する。
【００４０】
通知するタイムスケジュールには、時刻情報（無線通信を送信した時刻（起点時刻と呼ぶ））、起点時刻を基準とするグループごとのモニタ発光予定時刻および本発光予定時刻、モニタ発光量、および起点時刻を基準とするグループごとの待ち受けタイミングの情報が含まれる。
【００４１】
発光準備の無線通信は、マスター無線アダプタ１０から全てのリモート無線アダプタ１０Ａ（１０Ｂまたは１０Ｃ）へ送信し、全てのリモート無線アダプタ１０Ａ（１０Ｂ、１０Ｃ）がマスター無線アダプタ１０へ返信（ack）する。カメラ３０（ＣＰＵ３０６）は、全てのリモート無線アダプタ１０Ａ（１０Ｂ、１０Ｃ）からの返信（ack）がマスター無線アダプタ１０によって受信されることによって、発光準備の無線通信が全てのリモート無線アダプタ１０Ａ（１０Ｂ、１０Ｃ）で受信されたことを確認する。発光準備の無線通信は、時刻ｔ０から時刻ｔ１までの所定時間（例えば５００msec）の間に複数回繰り返すことによって成功する確率を高める。
【００４２】
＜グループＡに対するモニタ発光Ａの指示＞
発光準備の無線通信が終了した時刻ｔ１から、例えば３００msecが経過後の時刻ｔ２において、マスター無線アダプタ１０は、グループＡのリモート無線アダプタ１０Ａへモニタ発光Ａのコマンドを無線通信で送信する。モニタ発光Ａのコマンド送信は、リモート無線アダプタ１０Ａからの返信（ack）を要求しない一方方向の無線通信である。
【００４３】
図４では、リモート無線アダプタ１０Ａがモニタ発光Ａのコマンド受信を失敗した場合を例示しているが、リモート無線アダプタ１０Ａがモニタ発光Ａのコマンドを正常に受信した場合の動作を先に説明する。
【００４４】
モニタ発光Ａのコマンドを受信した場合のリモート無線アダプタ１０Ａは、接続される電子閃光装置２０Ａへモニタ発光Ａのコマンドを有線通信で送信する。これによって、電子閃光装置２０Ａが時刻ｔ３においてモニタ発光Ａを行う。リモート無線アダプタ１０Ａはさらに、モニタ発光Ａのコマンド送信終了から所定時間（例えば３００msec）が経過するまでの期間を、上述した閃光待ち受け制御の待ち受け期間とする。待ち受け期間は、上記タイムスケジュールに基づいており、時刻ｔ３を含むように設けられる。
【００４５】
カメラ３０は、上記タイムスケジュールに基づく時刻ｔ２において、グループＡの電子閃光装置２０へモニタ発光Ａのコマンドを有線通信で送信する。モニタ発光Ａのコマンドを受信した電子閃光装置２０は、時刻ｔ３においてモニタ発光Ａを行う。
【００４６】
＜グループＢに対するモニタ発光Ｂの指示＞
時刻ｔ２から、例えば６００msecが経過後の時刻ｔ４において、マスター無線アダプタ１０は、グループＢのリモート無線アダプタ１０Ｂへモニタ発光Ｂのコマンドを無線通信で送信する。モニタ発光Ｂのコマンド送信は、リモート無線アダプタ１０Ｂからの返信（ack）を要求しない一方方向の無線通信である。
【００４７】
モニタ発光Ｂのコマンドを受信した場合のリモート無線アダプタ１０Ｂは、接続される電子閃光装置２０Ｂへモニタ発光Ｂのコマンドを有線通信で送信する。これによって、電子閃光装置２０Ｂが時刻ｔ５においてモニタ発光Ｂを行う。リモート無線アダプタ１０Ｂはさらに、モニタ発光Ｂのコマンド送信終了から所定時間（例えば３００msec）が経過するまでの期間を、上述した閃光待ち受け制御の待ち受け期間とする。待ち受け期間は、上記タイムスケジュールに基づいており、時刻ｔ５を含むように設けられる。
【００４８】
＜グループＣに対するモニタ発光Ｂの指示＞
時刻ｔ４から、例えば６００msecが経過後の時刻ｔ６において、マスター無線アダプタ１０は、グループＣのリモート無線アダプタ１０Ｃへモニタ発光Ｃのコマンドを無線通信で送信する。モニタ発光Ｃのコマンド送信は、リモート無線アダプタ１０Ｃからの返信（ack）を要求しない一方方向の無線通信である。
【００４９】
モニタ発光Ｃのコマンドを受信した場合のリモート無線アダプタ１０Ｃは、接続される電子閃光装置２０Ｃへモニタ発光Ｃのコマンドを有線通信で送信する。これによって、電子閃光装置２０Ｃが時刻ｔ７においてモニタ発光Ｃを行う。リモート無線アダプタ１０Ｃはさらに、モニタ発光Ｃのコマンド送信終了から所定時間（例えば３００msec）が経過するまでの期間を、上述した閃光待ち受け制御の待ち受け期間とする。待ち受け期間は、上記タイムスケジュールに基づいており、時刻ｔ７を含むように設けられる。
【００５０】
＜グループＡ、Ｂ、Ｃの全てに対する本発光の指示＞
図４では、リモート無線アダプタ１０Ｂが本発光のコマンド受信を失敗した場合を例示しているが、リモート無線アダプタ１０Ｂが本発光Ａのコマンドを正常に受信した場合の動作を先に説明する。
【００５１】
タイムスケジュールに基づく時刻ｔ８（例えばモニタ発光Ｃのコマンド送信終了から５００msec経過後）において、マスター無線アダプタ１０は、全てのリモート無線アダプタ１０Ａ〜１０Ｃへ本発光のコマンド、およびそれぞれの本発光量を無線通信で送信する。無線通信は、各リモート無線アダプタ１０Ａ〜１０Ｃからの返信（ack）を要求しない一方方向の通信である。一方、カメラ３０は、上記時刻ｔ８において、グループＡの電子閃光装置２０へ本発光のコマンドおよび本発光量を有線通信で送信する。
【００５２】
本発光のコマンドを受信した場合のリモート無線アダプタ１０Ａ〜１０Ｃは、接続される電子閃光装置２０Ａ〜２０Ｃへ本発光のコマンドを有線通信で送信する。カメラ３０は、上記タイムスケジュールに基づく時刻ｔ８において、グループＡの電子閃光装置２０へ本発光のコマンドを有線通信で送信する。
【００５３】
上記本発光のコマンドの送信によって、電子閃光装置２０Ａ〜２０Ｃ、および電子閃光装置２０が時刻ｔ９において本発光を行う。リモート無線アダプタ１０Ａ〜１０Ｃはさらに、本発光のコマンドの送信終了から所定時間（例えば７００msec）が経過するまでの期間を、閃光待ち受け制御の待ち受け期間とする。本発光時の待ち受け期間は、上記タイムスケジュールに基づいており、時刻ｔ９を含むように設けられる。
【００５４】
＜閃光待ち受け制御の目的＞
無線通信を介してモニタ発光Ａのコマンド、モニタ発光Ｂのコマンド、モニタ発光Ｃのコマンド、本発光のコマンドおよび本発光量を送信する場合、マスター無線アダプタ１０が使用する周波数帯と同じ周波数帯域において通信が集中していると、マスター無線アダプタ１０からリモート無線アダプタ１０Ａ、１０Ｂ、１０Ｃへ向けた通信が正常に行えず、モニタ発光や本発光のコマンド送信が届かないことがある。この具体例として、リモート無線アダプタ１０Ａがモニタ発光Ａのコマンド受信を失敗し、リモート無線アダプタ１０Ｂが本発光のコマンド受信を失敗した場合を図４において例示する。
【００５５】
本実施形態では、上記タイムスケジュールに基づいてあらかじめ定められた期間に受光センサ１０３によって他の電子閃光装置２０（２０Ａ、２０Ｂ、または２０Ｃ）からの閃光を受光することをトリガとして、接続されている電子閃光装置２０Ａ（２０Ｂまたは２０Ｃ）を発光させる。
【００５６】
図４に例示した閃光待ち受け制御では、モニタ発光時において、モニタ発光Ａのコマンド受信を失敗（時刻ｔ２）したリモート無線アダプタ１０Ａが、リモート無線アダプタ１０Ａと同じグループＡに含まれる電子閃光装置２０からのモニタ発光（時刻ｔ３）の光を受光して、電子閃光装置１０Ａをモニタ発光させる。
【００５７】
また、本発光時において、本発光のコマンド受信を失敗（時刻ｔ８）したリモート無線アダプタ１０Ｂが、電子閃光装置２０、２０Ａ、および２０Ｃのうち少なくとも１つからの本発光（時刻ｔ９）の光を受光して、電子閃光装置２０Ｂを本発光させる。
【００５８】
なお、受光センサ１０３によって他の電子閃光装置２０（２０Ａ、２０Ｂ、または２０Ｃ）からの閃光を受光することをトリガとして、接続されている電子閃光装置２０Ａ（２０Ｂまたは２０Ｃ）を発光させるのは、モニタ発光や本発光のコマンド受信に失敗して電子閃光装置２０Ａ（２０Ｂまたは２０Ｃ）を発光させていない場合とする。また、上記タイムスケジュールに基づいてあらかじめ定められた期間にのみ閃光待ち受け制御を行うように、受光センサ１０３を介して発光トリガを受け付ける閃光待ち受け開始後、閃光待ち受けの終了（タイムアウト）までの期間に制限を設ける。
【００５９】
以上説明した実施形態によれば、次の作用効果が得られる。
（１）カメラ３０は、電子閃光装置２０Ａに対する発光命令を出すＣＰＵ３０６と、マスター無線アダプタ１０へ発光命令の送信を指示するＣＰＵ３０６と、を備え、ＣＰＵ３０６は、発光命令の送信に先立ち、電子閃光装置２０Ａに対するタイムスケジュール情報の送信をマスター無線アダプタ１０へ指示するようにした。これにより、例えば発光命令の無線送信が失敗した場合でも、電子閃光装置２０Ａ側においてタイムスケジュールに基づいて発光するなどの対処が可能になるので、無線送信の失敗がただちに発光なしに結びつく従来技術に比べて、信頼性を高めることができる。
【００６０】
（２）タイムスケジュールは、基点時刻、発光予定時刻、および発光量を示す情報を含むので、電子閃光装置２０Ａ側でタイムスケジュールに倣った発光を適切に行うことが可能となる。
【００６１】
（３）電子閃光装置２０Ａ（リモート無線アダプタ１０Ａ）は、発光管２０１と、マスター無線アダプタ１０（カメラ３０）と通信するリモート無線アダプタ１０Ａと、カメラ３０から無線通信で送信され、リモート無線アダプタ１０Ａを介して入力された発光命令に応じて発光管２０１を発光させるＣＰＵ２０３と、他の電子閃光装置からの発光光を受光する受光センサ１０３と、を備え、ＣＰＵ２０３は、受光センサ１０３で上記発光光が受光されることに応じて発光管２０１を発光させる。これにより、例えば発光命令の無線送信が失敗した場合でも、他の電子閃光装置の発光光に応じて発光し得るから、無線通信の失敗がただちに発光なしに結びつく従来技術に比べて、信頼性を高めることができる。
【００６２】
（４）ＣＰＵ２０３は、受光センサ１０３で上記発光光が受光されることに応じて発光管２０１を発光させる期間を、あらかじめ定めた閃光待ち受け期間に制限するので、意図しない外光に応じて発光管２０１を発光させてしまうことを回避できる。
【００６３】
（５）ＣＰＵ２０３は、リモート無線アダプタ１０Ａを介して入力された発光命令に応じて発光管２０１を発光させていない場合に、受光センサ１０３で上記発光光が受光されることに応じて発光管２０１を発光させるので、例えば発光命令の無線送信が失敗した場合において、適切に発光させ得る。
【００６４】
（変形例１）
上記の説明では、カメラ３０にマスター無線アダプタ１０を装着する例を説明したが、マスター無線アダプタ１０をカメラ３０に内蔵させてもよい。
【００６５】
（変形例２）
また、上記の説明では、カメラ３０に電子閃光装置２０を装着する例を説明したが、電子閃光装置２０をカメラ３０に内蔵させてもよい。
【００６６】
（変形例３）
上述した実施形態では、発光準備の無線通信において、時刻ｔ０から時刻ｔ１までの所定時間（例えば５００msec）の間に複数回の無線通信を繰り返すことによって成功する確率を高める例を説明した。この代わりに、一連のシーケンス処理において通信をしていないタイミングに小分けして少しずつ何度も無線通信を行うことによって、無線通信の信頼性を高めるようにしてもよい。一般に、時刻ｔ０から時刻ｔ１の間にまとまった時間を割り当てることは、撮影指示から本露光までのタイムラグの増大につながるので、タイムラグを抑えたい場合には、小分けにした無線通信が有効となる。
【００６７】
以上の説明はあくまで一例であり、上記の実施形態の構成に何ら限定されるものではない。
【符号の説明】
【００６８】
１０…マスター無線アダプタ
１０Ａ、１０Ｂ、１０Ｃ…リモート無線アダプタ
２０、２０Ａ、２０Ｂ、２０Ｃ…電子閃光装置
３０…カメラ
１０１…アンテナ
１０２…通信回路
１０３…受光センサ
１０４…検出回路
１０５、２０３、３０６…ＣＰＵ
２０１…発光管
２０２…発光制御回路
【図１】
2018151665.tif 000003
【図２】
2018151665.tif 000004
【図３】
2018151665.tif 000005
【図４】
2018151665.tif 000006